(57)【要約】【課題】印刷物の履歴を秘密裏に追跡、特定できるようにする。【解決手段】全体平面が丸型本体部６に切り欠き部７を形成した第１の微細構成素子印刷部２よりなる文字を基紙１の表面に表示した潜像３をインキ或いはそれに類するものを用いて印刷した潜像３を印刷した複写防止模様を有する。前記第１の微細構成素子印刷部２の一部に置き換えて平面が円形リング状印刷部14の内側に線形表示印刷部15を設けた第２の微細構成素子印刷部13を設ける。第１の微細構成素子印刷部２に混在した第２の微細構成素子印刷部13の存在に気がつかれることは難しくなり、秘密裏に印刷物の履歴を追跡、特定することができる。【選択図】図１
0003119746.tif 000002
【実用新案登録請求の範囲】
【請求項１】
全体平面が丸型本体部に切り欠き部を形成した第１の微細構成素子印刷部よりなる文字、記号又は図形を基紙表面に表示して潜像を印刷した複写防止模様を有する印刷物において、前記第１の微細構成素子印刷部の一部に置き換えて平面が円形リング状印刷部の内側に線形表示印刷部を設けた第２の微細構成素子印刷部を設けたことを特徴とする偽造防止印刷物。
【請求項２】
前記切り欠き部は丸型本体部の中心に放射状に形成されていると共に、該切り欠き部は前記中心に点対称に２箇所成され、該切り欠き部の中心角度を４０〜８０度に形成すると共に、前記丸型本体部の外径を０.１８〜０．２２ｍｍに形成し、かつ前記円形リング状印刷部の外径を前記丸型本体部の外径の０．７〜１．４倍に形成すると共に、前記円形リング状印刷部の外径内側の面積に対する前記円形リング状印刷部の内径内側の面積の比率を８０〜９５％に形成することを特徴とする請求項１記載の複写防止模様を有する偽造防止印刷物。
【請求項３】
隣接する前記第１の微細構成素子印刷部の前記切り欠き部相互がほぼ平行に配置されることを特徴とする請求項１又は２記載の複写防止模様を有する偽造防止印刷物。
【請求項４】
前記潜像以外の余白部に前記潜像より粗または密の網点印刷部を形成したことを特徴とする請求項１〜３のいずれか１項に記載の複写防止模様を有する偽造防止印刷物。
【請求項５】
前記第１の微細構成素子印刷部及び第２の微細構成素子印刷部を、ＣＩＥ Ｌ＊ａ＊ｂ＊（エルスター、エースター、ビースター）色度図において、明るさ（Ｌｉｇｈｔｎｅｓｓ）値が５０以下であることを特徴とする請求項１〜４のいずれか１項に記載の偽造防止複写防止模様を有する偽造防止印刷物。
【考案の詳細な説明】
【技術分野】
【０００１】
本考案は、偽造、変造防止を必要とする印刷物において、複写機により複写した場合に、潜像による模様を発現させる複写防止模様を有する偽造防止印刷物に関するものである。
【背景技術】
【０００２】
従来、この種のものとして同一出願人による複写防止模様を有する印刷物が公知である。これは、全体平面が丸型本体部に切り欠き部を形成した第１の微細構成素子印刷部よりなる文字を基紙表面に表示して潜像を印刷した複写防止模様を有する印刷物において、前記切り欠き部は前記丸型本体部の中心に放射状に形成されていると共に、該切り欠き部は前記中心に点対称に２箇所形成され、該切り欠き部の中心角度を４０〜８０度に形成すると共に、前記丸型本体部の外径を０.１８〜０．２２ｍｍに形成したものである（例えば、特許文献１）。
【特許文献１】実用新案登録第３１１３３０９号公報
【考案の開示】
【考案が解決しようとする課題】
【０００３】
ところで、印刷工場で印刷した印刷物が例えば秘密文書などの重要書類である際、納入先や使用先でその一部又は全部が外部に流出した場合、その流出した印刷物を入手して、いつごろ、どこで印刷又は使用されていたものなのか、といった印刷物の履歴を追跡、特定できること、すなわちトレーサビリティが要求されている。
【０００４】
しかしながら、従来技術ではこのようなトレーサビリティに対応することができなかった。
【０００５】
解決しようとする問題点は、全体平面が丸型本体部に切り欠き部を形成した第１の微細構成素子印刷部よりなる文字を基紙表面に表示して潜像を印刷した複写防止模様を有する印刷物において、印刷物の履歴を秘密裏に追跡、特定できるようにする点である。
【課題を解決するための手段】
【０００６】
請求項１の考案は、全体平面が丸型本体部に切り欠き部を形成した第１の微細構成素子印刷部よりなる文字、記号又は図形を基紙表面に表示して潜像を印刷した複写防止模様を有する印刷物において、前記第１の微細構成素子印刷部の一部に置き換えて平面が円形リング状印刷部の内側に線形表示印刷部を設けた第２の微細構成素子印刷部を設けたことを特徴とする偽造防止印刷物である。
【０００７】
請求項２の考案は、前記切り欠き部は丸型本体部の中心に放射状に形成されていると共に、該切り欠き部は前記中心に点対称に２箇所成され、該切り欠き部の中心角度を４０〜８０度に形成すると共に、前記丸型本体部の外径を０.１８〜０．２２ｍｍに形成し、かつ前記円形リング状印刷部の外径を前記丸型本体部の外径の０．７〜１．４倍に形成すると共に、前記円形リング状印刷部の外径内側の面積に対する前記円形リング状印刷部の内径内側の面積の比率を８０〜９５％に形成することを特徴とする請求項１記載の複写防止模様を有する偽造防止印刷物である。
【０００８】
請求項３の考案は、隣接する前記第１の微細構成素子印刷部の前記切り欠き部相互がほぼ平行に配置されることを特徴とする請求項１又は２記載の複写防止模様を有する偽造防止印刷である。
【０００９】
請求項４の考案は、前記潜像以外の余白部に前記潜像より粗または密の網点印刷部を形成したことを特徴とする請求項１〜３のいずれか１項に記載の複写防止模様を有する偽造防止印刷物である。
【００１０】
請求項５の考案は、前記第１の微細構成素子印刷部及び第２の微細構成素子印刷部を、ＣＩＥ Ｌ＊ａ＊ｂ＊（エルスター、エースター、ビースター）色度図において、明るさ（Ｌｉｇｈｔｎｅｓｓ）値が５０以下であることを特徴とする請求項１〜４のいずれか１項に記載の偽造防止複写防止模様を有する偽造防止印刷物である。
【考案の効果】
【００１１】
請求項１の考案によれば、第１の微細構成素子印刷部に混在した第２の微細構成素子印刷部の存在に気がつかれることは難しくなる。
【００１２】
請求項２の考案によれば、仮に第２の微細構成素子印刷部13の存在に気がついたとしても、印刷物データとしての第１の微細構成素子印刷部に混在する第２の微細構成素子印刷部の寸法や配置などを特定することは困難となる。そして、前記円形リング状印刷部の外径を前記丸型本体部の外径の０．７〜１．４倍に形成すると共に、前記円形リング状印刷部の外径内側の面積に対する前記円形リング状部の内径内側の面積の比率を８０〜９５％に形成することで、刷版の解像度、インキ転移、コントラストの３つのバランスがとれ、かつ内側の文字及び図形の可読性を確保できる。尚、前記数値の範囲外ではそのような効果が低くなるものである。この結果、内側の文字及び図形の再現性と可読性、カモフラージュ性を両立することができる。
【００１３】
請求項３の考案によれば、切り欠き部による余白部の配置を同一方向に配置して、カモフラージュ性を向上することができる。
【００１４】
請求項４の考案によれば、微細構成素子印刷部を網点印刷部によりいっそうカモフラージュすることができる。
【００１５】
請求項５の考案によれば、基紙の表面と微細構成素子印刷部とのコントラストによって、複写時の潜像の発現をいっそう高めることができる。
【考案を実施するための最良の形態】
【００１６】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１７】
図１〜４は実施例１を示しており、印刷される紙である基紙１の白色系表面に第１の微細構成素子印刷部２よりなる「ＣＯＰＹ複写」という内容の潜像３を黒色系インクを用いて印刷しており、該潜像３以外の余白４に前記潜像３より密の網点印刷部５が黒色系インクを用いて形成されている。尚、印刷物はインク以外にインクに類するものを含むものである。そして、基紙1の表面を白色系とし前記第１の微細構成素子印刷部２を、ＣＩＥ Ｌ＊ａ＊ｂ＊（エルスター、エースター、ビースター）色度図において、明るさ（Ｌｉｇｈｔｎｅｓｓ）値が５０以下としている。尚、ＣＩＥ Ｌ＊ａ＊ｂ＊（表面系）色度図は、現在塗装や染色業界など表面色の管理に最も便利よく扱われ、ＪＩＳにも制定されている。
【００１８】
前記第１の微細構成素子印刷部２は、全体平面が丸型本体部６に切り欠き部７を形成して全体平面が丸型の異形形状により形成したものであって、前記切り欠き部７は前記丸型本体部６の中心８に放射状に形成されていると共に、該切り欠き部７は前記中心８に点対称に２箇所形成されている。そして切り欠き部７の中心角度Ａを４０〜８０度に形成している。例えば第１の微細構成素子印刷部２の最大幅たる直径Ｄは０．１８〜０．２２ｍｍ、中心８の間隔Ｌは０.４ｍｍである。
さらに前記潜像３以外の余白部４に前記潜像３より密、すなわち直径ｄを前記直径Ｄよりも小さく形成した（ｄ＜Ｄ）前記網点印刷部５を形成している。この網点印刷部５は平網等と称せられており、占有面積を７〜１３％程度としている。
【００１９】
また、潜像３等が形成された基紙１の表面に文字や数字など金額等各種情報の印刷部12がなされる。実施例では印刷部12として「い」を表示している。
【００２０】
さらに、潜像３における第１の微細構成素子印刷部２の一部に置き換えて、すなわち相互の間隔Ｌを保つ箇所に設けられて本来は潜像３における第１の微細構成素子印刷部２が配置されるべき箇所に、第２の微細構成素子印刷部13を配置する。
【００２１】
この第２の微細構成素子印刷部13は、平面が円形リング状印刷部14の内側に線形表示印刷部15を設けたものであり、第１の微細構成素子印刷部２と同様に黒色系インクを用いて印刷しており、ＣＩＥＬ＊ａ＊ｂ＊（エルスター、エースター、ビースター）色度図において、明るさ（Ｌｉｇｈｔｎｅｓｓ）値が５０以下としている。
【００２２】
さらに、前記円形リング状印刷部14の外径Ｅを丸型本体部６の外径Ｄの０．７〜１．４倍、すなわち０．１２６〜０．３０８ｍｍに形成すると共に、円形リング状印刷部14の外径Ｅの内側の面積（外径Ｅに基づく円形面積）に対する円形リング状部14の内径Ｆ内側の面積（内径Ｆに基づく円形面積）の比率を８０〜９５％に形成する。また、線形表示印刷部15は円形リング状印刷部14に非接触状態に形成されており、実施例では「２」の数字を示している。線形表示印刷部15は円形リング状印刷部14に接触状態に形成されてもよい。尚、線形表示部15としては「２」以外に「１」「３」「４」「５」のような数字の他に、「あ」「ア」「山」「大」のようなひらがな、カタカナ或いは画数の少ない漢字や、「ａ」「Ａ」「ｂ」「Ｂ」のようなローマ字など文字、或いは「○」「×」「△」のような記号或いはマーク等のような図形など平面が線形な印刷によって形成したものであればよい。
次に前記構成についてその作用を説明する。そして複写機（図示せず）による複写によって複写した場合に、図３に示すように印刷部12が複写されると共に、「ＣＯＰＹ 複写」という潜像３が複写紙13上に発現する。この発現は第１の微細構成素子印刷部２における切り欠き部７が複写時において再現できないため、塗りつぶされて濃く再現されるものである。そして、潜像３において塗りつぶされて濃く再現され第１の微細構成素子印刷部２に混じって第２の微細構成素子印刷部13が配置されることとなり、この第２の微細構成素子印刷部13においては、線形表示印刷部15が円形リング状印刷部14内に表されているので、線形表示印刷部15を拡大レンズを用いて読み取ることができない。一方、余白部４においては、潜像３より密な網点印刷部５を形成しているので、複写は解像力が追い付き難くなり、潜像３の背景部は薄く再現される。
【００２３】
尚、図４は印刷物の履歴を追跡、特定の実現と、偽造防止の流れを示したものであり、印刷会社16においては、第１の微細構成素子印刷部２に混じって第２の微細構成素子印刷部13を印刷物17に印刷する。この印刷物においては、印刷するたびに違う刷版を使用して、第１の微細構成素子印刷部２、第２の微細構成素子印刷部13を印刷物17を入れて出力する。この際には、第２の微細構成素子印刷部13の線形表示印刷部15による表示を「１」「２」「３」のように個別に形成する。そして、このような個別情報は印刷会社16或いは製作依頼会社等の管理者で記録保管しておく。このような印刷物17が納入先18に納入され、そして関係者19によって「３」という第２の微細構成素子印刷部13が印刷された印刷物17が流出した場合には、これを入手者20によって入手して管理者の記録保管データと、流出した印刷物17より読み取った第２の微細構成素子印刷部13を照合することで印刷物17の追跡、特定を行うことができる。尚、印刷物17はデジタルデータを作成して複写する場合は印刷物を見ても第２の微細構成素子印刷部13に気付きにくく、万一気付いても寸法を確実に推定することは不可能となり、一方コピー機の場合には「複写」との潜像３を表すことができる。
【００２４】
以上のように、前記実施例では請求項１に対応して全体平面が丸型本体部６に切り欠き部７を形成した第１の微細構成素子印刷部２よりなる文字を基紙１の表面に表示した潜像３をインキを用いて印刷した潜像３を印刷した複写防止模様を有する印刷物において、前記第１の微細構成素子印刷部２の一部に置き換えて平面が円形リング状印刷部14の内側に線形表示印刷部15を設けた第２の微細構成素子印刷部13を設けたことにより、第１の微細構成素子印刷部２に混在した第２の微細構成素子印刷部13の存在に気がつかれることは難しくなり、秘密裏に印刷物の履歴を追跡、特定することができる。
【００２５】
また、前記実施例では請求項２に対応して前記前記切り欠き部７は丸型本体部６の中心８に放射状に形成されていると共に、該切り欠き部７は前記中心８に点対称に２箇所成され、該切り欠き部７の中心角度Ａを４０〜８０度に形成すると共に、丸型本体部６の外径Ｄを０.１８〜０．２２ｍｍに形成し、かつ前記円形リング状印刷部14の外径Ｅを丸型本体部６の外径Ｄの０．７〜１．４倍に形成すると共に、前記円形リング状印刷部14の外径Ｅ内側の面積（円周率×外径Ｅ×外径Ｅ÷４）に対する前記円形リング状印刷部14の内径Ｆ内側の面積（円周率×外径Ｆ×外径Ｆ÷４）の比率を８０〜９５％に形成することにより、仮に第２の微細構成素子印刷部13の存在に気がついたとしても、印刷物データとしての第１の微細構成素子印刷部２に混在する第２の微細構成素子印刷部13の寸法や配置などを特定することは困難であり、完全に条件が一致する印刷物を作成することはほとんど不可能となる。
【００２６】
さらに、前記実施例では請求項３に対応して隣接する微細構成素子印刷部２の前記切り欠き部７相互がほぼ平行に配置されることで、切り欠き部７による余白部の配置を同一方向に配置して、カモフラージュ性を向上することができる。
【００２７】
また、前記実施例では請求項４に対応して前記潜像３以外の余白部４に前記潜像３より密の網点印刷部５を形成したことで、微細構成素子印刷部２を網点印刷部５によりいっそうカモフラージュすることができる。
【００２８】
さらに、前記実施例では請求項５に対応して前記第１の微細構成素子印刷部２及び第２の微細構成素子印刷部13を、ＣＩＥ  Ｌ＊ａ＊ｂ＊（エルスター、エースター、ビースター）色度図において、明るさ（Ｌｉｇｈｔｎｅｓｓ）値が５０以下とすることで、基紙１の表面と微細構成素子印刷部２とのコントラストによって、複写時の潜像の発現をいっそう高めることができる。尚、微細構成素子印刷部をＣＩＥＬ＊ａ＊ｂ＊の明るさ値が５０より大きいと基紙１の表面と微細構成素子印刷部２とのコントラストによって複写時の潜像の発現、カモフラージュ効果を高めることができなくなる。
【産業上の利用可能性】
【００２９】
以上のように本考案にかかる複写防止模様を有する印刷物は種々の用途に適用できる。
【図面の簡単な説明】
【００３０】
【図１】本考案の実施例１を示す平面図である。
【図２】本考案の実施例１を示す断面図である。
【図３】本考案の実施例１を示す複写紙の平面図である。
【図４】本考案の実施例１を示す肯定説明図である。
【符号の説明】
【００３１】
１  基紙
２  第１の微細構成素子印刷部
３  潜像
４  余白部
５  網点印刷部
６  丸型本体部
７  切り欠き部
８  中心
13  第２の微細構成素子印刷部
14  円形リング状印刷部
15  線形表示印刷部
Ａ 中心角度
Ｄ  Ｅ  Ｆ  直径
【図１】
0003119746.tif 000003
【図２】
0003119746.tif 000004
【図３】
0003119746.tif 000005
【図４】
0003119746.tif 000006